(57)【要約】【課題】  バルコニー等の利便性や美観性を損なうことがなく、将来の設計変更等による工事も見越して、配管が複雑化することなく、多目的に使用できる貯湯式給湯装置と、この貯湯式給湯装置を有する集合住宅におけるベランダ構造を提供する。【解決手段】  ベランダＶに設置された上下方向に延びる排水本管５（もしくは専用排水溝のトラップ）の近傍に、貯湯タンク２を内蔵し、かつ側面部にスロップシンク４を設けた外装ケース３配置して貯湯式給湯装置１とする。【選択図】      図１
2008025952.tif 000002
【特許請求の範囲】
【請求項１】
ベランダに配置される貯湯タンクを内蔵する外装ケースの外側に、シンクを設けたこと
を特徴とする貯湯式給湯装置。
【請求項２】
前記シンクは、
泥水などを流すことのできるスロップシンクであること
を特徴とする請求項１に記載の貯湯式給湯装置。
【請求項３】
前記シンクの排水は、
前記貯湯タンクの排水管と同じ排水管に接続されること
を特徴とする請求項１又は２に記載の貯湯式給湯装置。
【請求項４】
前記シンクは、
前記貯湯タンクへの給水用配管から分岐させて給水されること
を特徴とする請求項１〜３のいずれかに記載の貯湯式給湯装置。
【請求項５】
前記シンクは、
前記貯湯タンクへの給水用配管から分岐した水と、貯湯タンクの給湯用配管から分岐した温水とをそれぞれ単独で、もしくは水とお湯とを適温とする混合栓を介して供給されるよう構成されていること
を特徴とする請求項１〜４のいずれかに記載の貯湯式給湯装置。
【請求項６】
さらに、この発明の請求項６にかかる発明は、
上下方向に配置された排水本管に近接させて、貯湯タンクを内蔵する外装ケースの外側にスロップシンクを設けた貯湯式給湯装置を配置固定し、
前記スロップシンクには、少なくとも前記貯湯タンクに給水する給水配管を分岐して水栓を設けるとともに、
前記貯湯タンクとスロップシンクの排水を、前記排水本管を通じて行うことができるよう構成されたこと
を特徴とする集合住宅におけるベランダ構造。
【発明の詳細な説明】
【技術分野】
【０００１】
この発明は、マンションのベランダなど限られた空間を有効に利用でき、かつ、利便性を向上させつつ、防災面においても優れた機能を有する貯湯式給湯装置と、この貯湯式給湯装置を有する集合住宅におけるベランダ構造に関するものである。
【背景技術】
【０００２】
マンション等の共同住宅において利用されているエネルギーには、電気、ガス、灯油などが代表例として揚げられるが、近年では、火を用いないで済むこと、エネルギー源の補給を気にしないで済むことなどの理由により、電気のみをエネルギー媒体として用いる住宅、いわゆるオール電化住宅であるマンション等が増加している。
【０００３】
かかるオール電化住宅は、従来のガスレンジやガス給湯器、灯油などによるボイラー給湯を全く使用せず、その代わりに、電磁調理器や電気温水器を使用する。
したがって、従来型の住宅をオール電化住宅に改造する場合は、１００ボルト電源を２００ボルト電源に変更するための電気配線や分電盤等の工事が必要となるため、既築のマンション等では、かかる工事は不可能である場合が多く、仮に可能だとしても相当のコストと時間を必要とする。
【０００４】
一方、新築のマンション等の場合は、最初からオール電化住宅用の工事をすればよいので、従来型の住宅にするのとオール電化型住宅にするのとでは、手間やコストはさほど変わらない。
したがって、新築のマンション等においては、オール電化住宅型の構造が採用され始めている。
【０００５】
オール電化住宅の場合、給湯設備として電気温水器を利用し、電気温水器による給湯とは、深夜の安価な電気料金が適用される時間帯に湯を沸かし、沸かした湯を断熱効果のある貯湯タンクに貯蔵しておいて、その貯湯タンクから必要な湯を使用するというものである。
【０００６】
電気温水器は、給湯をヒータで行うものと、大気中の二酸化炭素を熱媒として利用するヒートポンプ形式があるが、いずれの形式の電気温水器を選択しても、貯湯タンクは設置せねばならず、何処に設置するかが問題となる。
貯湯タンクの設置場所として理想的とされるのは、湯を大量に使う風呂や台所に近い場所であるが、現実問題として、集合住宅の場合、共用廊下又はベランダやバルコニー（以下、バルコニー等と称す。）に設置され、共用廊下に設置すると、住戸の専有面積に算入される場合があるため、バルコニー等に設置する場合が多い。
【０００７】
バルコニー等に貯湯タンクを設置した場合、当然のことであるが、バルコニー等の利用可能スペースは減少する。
一般にバルコニー等は、十分な広さを有している場合は少なく、貯湯タンクを設置することによってさらに利用可能面積が狭くなっても、洗濯物を干すスペースや緊急時の避難経路としてのスペースは必ず確保しておかなければならない。また、観賞用の植物等を置くスペースも確保しておきたいところである。
【０００８】
一方で、バルコニー等内に洗面器、手洗い器またはスロップシンク（多用途水洗）付の水洗設備等があると、靴を室内の洗面所などではなく、バルコニー等で洗ったりすることができる。また、植物への散水もすぐにできるようになるので、利便性は向上するが、かかる設備を設置すると、給水や排水用の配管を新たに設置しなければならず、コストアップするということ、また、設置するスペースが足りないこと等の問題により、比較的高級なマンションにしか殆ど備わっていないのが現状である。
【０００９】
そこで、特開２００２−１４３０１１号公報（特許文献１）には、使用時には広い使用領域を確保でき、不使用時には格納することで、避難通路等を確保することのできるベランダ用のシンクが開示されている。
このベランダ用シンクは、壁面等に垂直状に取付けられる取付基板と、当該取付基板に対して水平状態と起立状態との間を揺動自在になされたボール部と、前記取付基板に固定され、ボール部が起立状態のときにボール部内に収容される棚部とで構成したことを特徴としたもので、使用時には取付基板に対してボール部が水平に突出した状態となり、ボール部の広い洗い鉢面の領域を確保することができる。
また、不使用時には、ボール部を起立状態にしてボール部の突出寸法を抑制し、全体をコンパクトにすることができるため、ベランダの通路に広い空間を確保できる、というものである。
【００１０】
また、水洗設備として洗面化粧台キャビネットを設置し、さらにキャビネット内に電気温水器を収納することで、空間を有効利用することができるという電気温水器の設置構造が、特開２００４−１６００６７号公報（特許文献２）に開示されている。
この電気温水器の設置構造は、電気温水器を洗面化粧台キャビネットの収納空間の上部側方領域に配置し、電気温水器の下面に給水管と給湯管を接続することで、デッドスペースを電気温水器の設置可能領域として有効活用することができ、キャビネットの収容空間における実質的に利用可能な容積を拡張することができるというものである。
【００１１】
一方、特開２００５−１６４０７７号公報（特許文献３）には、既存の洗面器に後付けで設置することが可能で、車椅子使用者も無理なく温水を使用できるような電気温水器を提供するために、洗面器の下方に貯湯式温水器を配置する技術が開示されている。
【００１２】
すなわち、特許文献３に記載の発明は、筐体の内部で、貯湯タンクを立壁面と平行に横起きにし、貯湯タンクの下方からケース本体の背面部にかけての空間に給水管や減圧弁などの入水側の配管部を配置し、貯湯タンクの上方から同じくケース本体の背面部にかけての空間に出湯管や逃がし弁などの出湯・出水側の配管部を配置する。また、前面板の下方コーナーは角が切り落とされたテーパ形状とされる。これにより、筐体の奥行サイズが小さく、筐体の下面と床面と間の距離も充分に確保することができ、車椅子使用者が洗面器を利用する際に足が接触することを回避することができる、貯湯式電気温水器及びその設置方法である。
【特許文献１】特開２００２−１４３０１１号公報（特許請求の範囲）
【特許文献２】特開２００４−１６００６７号公報（特許請求の範囲）
【特許文献３】特開２００５−１６４０７７号公報（特許請求の範囲）
【発明の開示】
【発明が解決しようとする課題】
【００１３】
バルコニー等に水洗設備を設置するためには、給水用及び排水用の配管が必ず必要となる。また、電気給湯器も同様である。
しかしながら、特許文献１のベランダ用シンクは、ベランダの使用面積を有効に利用することができるものであるが、電気温水器を設置しているバルコニー等の場合、給水用および排水用の配管をそれぞれ別に設置する必要があるので、バルコニー内の配管が複雑になってしまう。かかる配管の複雑化は、バルコニー等に何らかの工事が必要になった際、工事の障害となる可能性が非常に高いため避けるべきことである。
【００１４】
また、電気温水器は、深夜の安価な電気料金が適用される時間帯に湯を沸かして溜めておくシステムなので、貯湯しておく貯湯タンクの設置が必要不可欠で、その容量は、小さすぎると必要量を賄えず、必要以上に大きくても不経済である。したがって、かかる貯湯タンクは、必要に応じた容量のタンクを選択する必要がある。
【００１５】
また、特許文献２に記載の発明のように、電気温水器（貯湯タンク）を、キャビネット内に設置することは、貯湯タンクの大きさを考えると、先ず不可能なことである。
【００１６】
また、特許文献３に記載の発明のように、洗面器の下部に貯湯タンクを設置すると、貯湯タンクが小型の場合であればスペースの有効利用等、それなりの効果を得られることは可能であるが、一般家庭用の貯湯タンクの大きさを考慮すると、特許文献３に記載の発明を、本発明における課題を解決するための手段として利用することは不可能である。
【００１７】
さらに、バルコニー等に貯湯タンクとスロップシンクの両方が設置されているマンション等において、貯湯タンクとスロップシンクを隣接して設置すると、窓開口を大きく取れない。
また、貯湯タンクとスロップシンクの距離を開けて設置した場合は、給水用と排水用の配管をそれぞれ設置する必要が生じるとともに、施工作業に倍の日数を要し、相応のコストも生じていた。
さらに、バルコニー等に新たな機器や器具を設置する場合、既に設置されている配管が邪魔となるので、工事にさらなる丁寧さや精密化が要求され、工事の難化や納期の延長をさせる原因となっていた。
【００１８】
この発明はかかる現状に鑑み、バルコニー等の利便性や美観性を向上させ、限られたスペースを有効に利用し、設置に伴なう費用を極力抑えることが可能で、さらに、将来の設計変更等による工事も見越して、配管が複雑化することなく、多目的に使用できる貯湯式給湯装置と、この貯湯式給湯装置を有する集合住宅におけるベランダ構造を提供せんとするものである。
【課題を解決するための手段】
【００１９】
前記の目的を達成するために、この発明の請求項１にかかる発明は、
ベランダに配置される貯湯タンクを内蔵する外装ケースの外側に、シンクを設けたこと
を特徴とする貯湯式給湯装置である。
【００２０】
また、この発明の請求項２にかかる発明は、
請求項１に記載の貯湯式給湯装置において、
前記シンクは、
泥水などを流すことのできるスロップシンクであること
を特徴とするものである。
【００２１】
また、この発明の請求項３にかかる発明は、
請求項１又は２に記載の貯湯式給湯装置において、
前記シンクの排水は、
前記貯湯タンクの排水管と同じ排水管に接続されること
を特徴とするものである。
【００２２】
また、この発明の請求項４にかかる発明は、
請求項１〜３のいずれかに記載の貯湯式給湯装置において、
前記シンクは、
前記貯湯タンクへの給水用配管から分岐させて給水されること
を特徴とするものである。
【００２３】
また、この発明の請求項５にかかる発明は、
請求項１〜４のいずれかに記載の貯湯式給湯装置において、
前記シンクは、
前記貯湯タンクへの給水用配管から分岐した水と、貯湯タンクの給湯用配管から分岐した温水とをそれぞれ単独で、もしくは水とお湯とを適温とする混合栓を介して供給されるよう構成されていること
を特徴とするものである。
【００２４】
さらに、この発明の請求項６にかかる発明は、
上下方向に配置された排水本管に近接させて、貯湯タンクを内蔵する外装ケースの外側にスロップシンクを設けた貯湯式給湯装置を配置固定し、
前記スロップシンクには、少なくとも前記貯湯タンクに給水する給水配管を分岐して水栓を設けるとともに、
前記貯湯タンクとスロップシンクの排水を、前記排水本管を通じて行うことができるよう構成されたこと
を特徴とする集合住宅におけるベランダ構造である。
【発明の効果】
【００２５】
この発明による貯湯式給湯装置は、マンションなどのベランダに設置される、生活全般に使用される温水を生成するための貯湯タンクを内蔵する外装ケースの外側に、ベランダの清掃や各種汚れ物を洗うためのシンクを設けたので、ベランダを有効利用することができ、緊急時における避難経路をあらかじめ確保が容易となる。
【００２６】
特に、この発明においては、シンクへの給水を貯湯タンクへの給水配管から分岐させるとともに、シンクからの排水を貯湯タンクの排水管と同じ排水管に接続さることによって、シンクと貯湯タンクの給排水を共用化させることができるので、施工をより簡易化させることができ、外観上の体裁を上げ、設置のための経費の削減を図ることができる。
【００２７】
また、この発明の集合住宅におけるベランダ構造は、植木への散水、汚れ物の洗濯など利便性が向上するとともに、火災等の緊急時においては、シンクからの水や貯湯タンクのお湯なども使用することができ、防火機能に非常に優れたものである。
【発明を実施するための最良の形態】
【００２８】
以下、この発明にかかる貯湯式給湯装置と、この貯湯式給湯装置を用いた集合住宅におけるベランダ構造の好ましい実施例を、添付の図面に基づいて具体的に説明するが、この発明は実施例にのみ限定されるものではなく、この発明の要旨を逸脱しない範囲内において種々変更を加えることができるものである。
【００２９】
図１はこの発明にかかる貯湯式給湯装置の使用状態を示す正面図、図２は同側面図、図３は同平面図である。
【００３０】
この発明の貯湯式給湯装置１は、集合住宅のベランダＶに設置されるもので、貯湯タンク２を内蔵する外装ケース３の側面に、泥の付着したズックの洗浄や、植木への水遣りなどを行うことのできるスロップシンク４を具備させたものである。
【００３１】
貯湯タンク２を内蔵した外装ケース３は、前面に開閉可能な扉（図示せず）を設けたボックス状のもので、全体がサビに強い鋼板で構成され、たとえば、マンションのベランダＶで、上下方向に配置された排水本管５の近傍の壁面に、開閉自在に設けられた扉を正面にした状態で設置されるものである。なお、排水本管５が近傍に存在しない場合にあっては、ベランダＶに形成されたお湯を排水するための専用排水溝のトラップ近傍が好ましい。
なお、図中、２ａは外装ケース３の底面部に設けられた支持脚である。
【００３２】
前記貯湯タンク２への給水は、図１〜３のように、マンションの天井部に配管された給水管６から行い、貯湯タンク２で沸かされお湯は、同じく天井部に配管された給湯管７を通じて、洗面所、台所、お風呂などお湯を必要とする部署に給湯されるものであるが、貯湯タンク２への給水手段は、マンションの構造によっては床面配管も可能で、特段の限定はない。
【００３３】
また、前記貯湯タンク２でお湯を沸かすには、貯湯タンク２内にヒータなどの加熱機能を内蔵させて深夜電力を利用して沸かす方法、あるいは大気熱を自然冷媒（ＣＯ２  ）に集め、その熱で沸かす方法などがあるが、その手段についてはなんら制限はない。
【００３４】
かかる貯湯タンク２において、前記スロップシンク４への給水は、前記給水管６を外装ケース３内で分岐した分岐管８の先端部に接続された水栓部材９を介して行うものであるが、さや管やヘッダーから分岐することもできる。
その際、スロップシンク４の近傍に貯湯タンク２が存在するので、前記給湯管７を分岐させ、水栓部材９に付設された温度調節器（図示せず）によって、適温のお湯も供給できるように構成することによって、冬場でも汚れたものの洗浄を容易に行うことができるが、水とお湯とを個別にスロップシンク４に供給することも可能である。
また、スロップシンク４への給水は、屋内から引き出される給水管６を屋外において２つに分岐させ、一方を貯湯タンク２に、他方をスロップシンク４に接続し、それぞれ個別に給水されることも当然可能である。
【００３５】
前記スロップシンク４の排水は、基本的に、その排水管１０をベランダＶに設置された排水本管５に接続させることによって行うものである。
しかしながら、マンションの構造上、上下方向に配置される排水本管５の近傍に貯湯タンク２を設置できない場合もあるので、このような場合には、ベランダＶに形成された専用排水溝のトラップ（図示せず）に接続することになる。
【００３６】
なお、貯湯タンク２で貯められたお湯又は水の排水は、底部に設けられた排水口２ｂからドレーン管２ｃを介して排水本管５に排出されるが、排水本管５が近傍に存在しない場合には、スロップシンク４と同様にベランダＶに形成された専用排水溝のトラップ（図示せず）に排水することになる。
【００３７】
また、前記スロップシンク４は、供給された水を一時貯蔵でき、かつ漏斗状で、下部の排水管１０と排水本管５に接続できるものであれば如何なる形状でもよく、例えば、洗面器や手洗器などが挙げられる。
さらに、スロップシンク４の材質は、樹脂製、陶器製、金属製に関わらず、いずれの材質のものでも利用可能であるが、貯湯タンク２から熱が伝播する可能性があることや屋外に設置するということを考慮すると、陶器製であることが好ましい。
【００３８】
さらに、排水本管５には、ドレーン管２ｃや排水管１０を接続するためのジョイント部を少なくとも２箇所設ける必要があるが、ジョイント部の設置箇所を減らしたい場合は、例えば、スロップシンク４からの排水管１０を、貯湯タンク２からのドレーン管２ｂに接続することによって達成することができる。
【００３９】
さらにまた、ドレーン管２ｃや排水管１０は、臭気を遮断するＳ字トラップを使用することが好ましい。
一方で、排水本管５は、階上から階下に貫通する排水用の管で、各戸で生じた排水のみならず、雨水なども排水するため、排水本管５に多量の排水が勢い良く流れると、排水本管５と接続されているドレーン管２ｃや排水管１０内は減圧状態になり、各排水管４ａ，４ｂに設置されたＳ字トラップ内の溜水が吸い取られて空になってしまう場合があるので、各排水管４ａ，４ｂの下流側の端部に、逆流防止用に弁を設けることが好ましい。
【００４０】
この発明にかかるスロップシンクを具備した貯湯式給湯装置を配置固定した集合住宅におけるベランダ構造は、貯湯式給湯装置を上下方向に設置された排水本管もしくはベランダの床面に形成される専用排水溝の排水トラップの近傍に設け、少なくとも前記スロップシンクと貯湯式給湯装置との排水を共用化させることによって、施工をより簡易化させることができ、外観上の体裁を上げ、設置のための経費の削減を図ることができる。
また、バルコニー等は、スロップシンクと貯湯式給湯装置を備えているにもかかわらず、有効利用面積が狭くなることはないので、従来どおり、洗濯物を干したり、植木を育てたりすることが可能である。
【産業上の利用可能性】
【００４１】
この発明にかかる貯湯式給湯装置は、利便性、美感性に優れ、かつ、防災面での機能も向上し、さらに、将来の設計変更等の工事にも柔軟に対応することができるので、マンションやアパート等の共同住宅以外にも、戸建て住宅にも当然利用可能で、さらには、建造物全般においても利用可能である。
【図面の簡単な説明】
【００４２】
【図１】この発明にかかる貯湯式給湯装置の使用状態を示す正面図である。
【図２】同側面図である。
【図３】同平面図である。
【符号の説明】
【００４３】
１      貯湯式給湯装置
２      貯湯タンク
２ａ    支持脚
２ｂ    排水口
２ｃ    ドレーン管
３      外装ケース
４      スロップシンク
５      排水本管
６      給水管
７      給湯管
８      分岐管
９      水栓部材
１０      排水管
Ｖ      ベランダ
【図１】
2008025952.tif 000003
【図２】
2008025952.tif 000004
【図３】
2008025952.tif 000005